(57)【要約】  洗浄弁用サイフォン防止装置は、空気入口密閉用ダイヤフラムと、空気入口を有するダイヤフラムブラケットと、柔軟性スリーブと、通気ブラケットと、相殺バネと、を有している。当該空気入口密閉用ダイヤフラムを変形するための力は、比較的小さい。サイフォン防止の還流装置がある場合と比較し、本発明のサイフォン防止装置は、流体圧力損失が非常に低く、漏水を防ぐことができる。本発明のサイフォン防止装置が、洗浄弁のような配管設備に適用された場合、流体圧力が保たれ、十分な勢いで出水することができる。【特許請求の範囲】
【請求項１】
流体入口、及び流体出口を有する、流体通路と、
少なくとも一つの空気入口と、
前記流体通路内に固定されて配置されるとともに、少なくとも一つの前記空気入口と流体連通状態にある空気路の第一部分を備える、通気ブラケットと、
前記通気ブラケットにスライド可能に係合するとともに、前記空気路の前記第一部分を通って、少なくとも一つの前記空気入口と流体連通状態にある前記空気路の第二部分となる、ダイヤフラムブラケットと、
前記ダイヤフラムブラケットに載置されるとともに、弾性的に変形し得る、ダイヤフラムと、
密閉用の前記ダイヤフラムに隣接する前記ダイヤフラムブラケット内に設けられる、少なくとも一つの空気開口部と、
を有し、
密閉の姿勢において、前記流体入口を通して流通する流体がなく、密閉用の前記ダイヤフラムが入口の密閉面に対して配置され、流体の流通状態が、前記流体出口と少なくとも一つの空気入口との間の前記ダイヤフラムブラケットにおける少なくとも一つの空気開口を介して開放状態とされ、
密閉されていない姿勢において、密閉用の前記ダイヤフラムが、前記入口の密閉面から離隔して配置され、流体が、前記流体入口を介して流通し、密閉用の前記ダイヤフラムが変形して、前記流体出口と前記少なくとも一つの空気入口との間の前記ダイヤフラムブラケットにおける少なくとも一つの空気開口を介しての流体の流通状態が制限されている、
サイフォン防止装置。
【請求項２】
前記通気ブラケットと前記ダイヤフラムブラケットとの間に、さらに、柔軟性スリーブを具備する、請求項１に記載のサイフォン防止装置。
【請求項３】
柔軟性スリーブが、前記ダイヤフラムブラケットの下部を取り囲むように配置され、前記柔軟性スリーブの一端が、前記ダイヤフラムブラケットに対して密閉され、前記柔軟性スリーブの他端が、前記通気ブラケットに対して密閉されている、請求項１に記載のサイフォン防止装置。
【請求項４】
さらに、前記ダイヤフラムと隣接して前記流体入口に配置される制限リングを具備する、請求項１に記載のサイフォン防止装置。
【請求項５】
前記制限リングは、逆流状態において、前記ダイヤフラムが前記制限リングへと押しつけられるように形成される、請求項４に記載のサイフォン防止装置。
【発明の詳細な説明】
【技術分野】
【０００１】
本発明は、暖房設備や配管設備に広く適用され得る、洗浄弁用のサイフォン防止装置に関する。
【背景技術】
【０００２】
給水装置においては、給水が遮断されることや、その他さまざまな理由によって、容易に真空状態となり得る。また、大気圧よりも圧力が低い場合、サイフォンや逆流を引き起こすことがある。当該サイフォンや逆流が深刻な場合、給水装置全体を汚染してしまう虞がある。現状では、サイフォン防止効果を得て、装置の漏水を防ぐために、逆流装置に一方弁を用い、空気入口を密閉するためのダイヤフラムを動作させるものがある。
【発明の概要】
【発明が解決しようとする課題】
【０００３】
しかしながら、これによっては、装置の流体圧力が相当量損失されることとなる。本発明は、当該流体圧力損失にかかる問題を解決するのに役立ち、効果的なサイフォン防止効果を実現する。
【課題を解決するための手段】
【０００４】
本発明は、洗浄弁用のサイフォン防止装置に関する。当該装置は、空気入口密閉用ダイヤフラムと、空気入口を備えるダイヤフラムブラケット、柔軟性の波状スリーブと、通気ブラケットと、相殺バネと、を有している。空気入口密閉用ダイヤフラムは、比較的小さな力で変形する。空気入口密閉用ダイヤフラムを変形するのに必要な力は、柔軟性の波状スリーブと相殺バネとを変形するのに必要な力の合計よりも小さい。柔軟性の波状のスリーブ、及び空気入口密閉用ダイヤフラムは、ダイヤフラムブラケットの周りにあり、通気ブラケットに沿って上下に移動可能である。通気ブラケットは配管の外側及び内側の間を通気可能としている。
【０００５】
流体が流通していない場合、空気入口密閉用ダイヤフラムが自由に伸び、空気入口は開放したままの状態である。一定量の水が流れている場合、空気入口密閉用ダイヤフラムが変形し、空気入口を密閉するように動作し、水漏れが防止される。配管設備内の水の流れが小さすぎて、空気入口を密閉するために空気入口密閉用ダイヤフラムを下方へと押圧できない場合は、相殺バネの弾性によりダイヤフラムブラケットがわずかに下方へと移動する。これによって、流体経路が比較的小さくなる一方、配管下部の流路面積がそれよりもはるかに大きくなる。このことで、配管における水の溢れが防がれ、水が空気入口を介して流れ出ることはない。
【発明の効果】
【０００６】
従来のサイフォン防止装置と比較して、本発明の装置は、流体圧力損失が比較的小さく、それと同時に、水漏れを効果的に防止できる。本発明が洗浄弁等の配管設備に適用された場合、流体圧力が保持され、十分な勢いで出水させて洗浄することができる。
【０００７】
本発明の少なくとも一つの形態によれば、流体入口、及び流体出口を有する、流体通路と、少なくとも一つの空気入口と、流体通路内に固定されて配置されるとともに、少なくとも一つの空気入口と流体連通状態にある空気路の第一部分を備える、通気ブラケットと、通気ブラケットにスライド可能に係合するとともに、空気路の第一部分を通って、少なくとも一つの空気入口と流体連通状態にある空気路の第二部分となる、ダイヤフラムブラケットと、ダイヤフラムブラケットに偏って載置されるとともに、弾性的に変形し得る、ダイヤフラムと、密閉用のダイヤフラムに隣接するダイヤフラムブラケット内に設けられる、少なくとも一つの空気開口部と、を有し、
密閉の姿勢において、流体入口を通して流通する流体がなく、密閉用のダイヤフラムが入口の密閉面に対して配置され、流体の流通状態が、流体出口と少なくとも一つの空気入口との間のダイヤフラムブラケットにおける少なくとも一つの空気開口を介して開放状態とされ、
密閉されていない姿勢において、密閉用のダイヤフラムが、入口の密閉面から離隔して配置され、流体が、流体入口を介して流通し、密閉用のダイヤフラムが変形して、流体出口と少なくとも一つの空気入口との間のダイヤフラムブラケットにおける少なくとも一つの空気開口を介しての流体の流通状態が制限されている、サイフォン防止装置が提供される。
【図面の簡単な説明】
【０００８】
【図１】サイフォン防止装置の構造を示している。
【図２】水が流通した状態にあるサイフォン防止装置の構成にかかる、断面図である。
【発明を実施するための形態】
【０００９】
図１に示すように、サイフォン防止装置は、少なくとも一つの通気路（２０）、流体入口（２２）、及び流体出口（２４）を備える流体経路（１）と、空気入口密閉用ダイヤフラム（２）と、空気穴（８）を備えるダイヤフラムブラケット（３）と、柔軟性スリーブ（４）と、通気ブラケット（５）と、相殺バネ（６）と、制限リング（７）と、ピン（９）と、Ｏ−リング（１０）とを有している。柔軟性スリーブ（４）は、好ましくは、通気ブラケットとダイヤフラムブラケット（３）との間を密閉する。密閉用ダイヤフラムは比較的小さな力で変形し、当該力は柔軟性スリーブ（４）と相殺バネとを変形させるのに必要となる力の合計よりも小さい。柔軟性スリーブ（４）もまた非常に小さい力で変形する。当該柔軟性スリーブ（４）の端部は、ダイヤフラムブラケット（３）の底部の周りに配置されることが好ましい。ダイヤフラムブラケット（３）の底部は、通気ブラケット（５）の上部において、上下にスライドすることが好ましい。通気ブラケット（５）は流体経路（１）の外側に通気可能とされている。ダイヤフラムブラケット（３）は、空気入口密閉用ダイヤフラム（２）を保持している。ピン（９）は、通気ブラケット（５）を配置するために用いられている。制限リング（７）は、空気入口密閉用ダイヤフラム（２）の動作を制限している。流体経路（１）において負圧が生じた場合、制限リング（７）によって、空気入口密閉用ダイヤフラム（２）の逆吸引や過度の変形が防がれる。空気入口密閉用ダイヤフラム（２）が変形、動作し、密閉用のダイヤフラムブラケット（３）にある空気孔（８）を密閉することができる。
【００１０】
サイフォン防止装置を流通する水がない場合は、相殺バネ（６）がダイヤフラムブラケット（３）を持ち上げている。この場合、空気入口密閉用ダイヤフラム（２）は束縛されずに伸びている。流体経路（１）の外側にある空気が通気ブラケット（５）の通気路（２０）に入り込んで、ダイヤフラムブラケット（３）及び当該ダイヤフラムブラケット（３）内の空気孔（８）へと通じ、流体経路（１）の内部と流体流通状態にあってもよく、このことで、真空状態となることがなく、サイフォンが防がれる。
【００１１】
図２に示されるように、流体経路（１）に水が流通している場合、流体の流量や圧力が小さすぎ、空気入口密閉用ダイヤフラム（２）を押圧することができず、下方に変形、動作して空気孔（８）を完全に密閉することができないと仮定する。ここでは、相殺バネ（６）の弾性によってダイヤフラムブラケット（３）はわずかに下方に動作し、流体経路が比較的小さくなる一方、下方の配管の流路面積がダイヤフラムブラケット（３）の周りの流体経路よりもはるかに大きくなる。従って、配管中において水が漏れ出ることはなく、水が空気口（８）を通して流れ出ることもない。
【００１２】
流体経路（１）に流通する流体の流速が速くなるにつれ、空気入口密閉用ダイヤフラム（２）にかかる圧力が増大し、そのことで、当該空気入口密閉用ダイヤフラム（２）が変形、下方に動作し、空気孔（８）を完全に密閉することとなる。流体圧力や流速がある程度に達すると、空気入口密閉用ダイヤフラム（２）にかかる流体の力が相殺バネ（６）及び柔軟性スリーブ（４）を変形する力に打ち勝ち、空気入口密閉用ダイヤフラム（２）及びダイヤフラムブラケット（３）が、流体経路（１）内部へと、さらに下方に移動する。空気入口密閉用ダイヤフラム（２）がさらに下方へと移動すると、水の流通路が拡大し、流通能力も大きくなる。空気入口密閉用ダイヤフラム（２）を変形するのに必要な力が非常に小さい場合、流体圧力はほとんどなく、空気入口密閉用ダイヤフラム（２）は通気口（８）を素早く閉鎖し、水が漏れることを防ぐことができる。
【００１３】
相殺バネ（６）の弾性を適切なものとし、柔軟性スリーブ（４）の変形力を十分に小さくすることで、バネの弾性力と柔軟性スリーブ（４）を変形させるための力とに打ち勝つのに必要な流体圧力が小さくなるであろう。
【００１４】
サイフォン防止装置を流通する流体は、入口（２２）へと流入し、制限リング（７）を通過し、空気入口密閉用ダイヤフラム（２）の周りを流れ、通気ブラケット（５）の周りへと流れて、流体出口（２４）を介して排出される。
【００１５】
本明細書において、本発明の好ましい形態について、説明、図示したが、本発明は、特許請求の範囲にて規定するように、本発明の範囲及び精神から逸脱しない範囲で、変更され得るものと解される。
【符号の説明】
【００１６】
１  流体経路
２  空気入口密閉用ダイヤフラム
３  ダイヤフラムブラケット
４  柔軟性スリーブ
５  空気経路
６  相殺バネ
７  制限リング
８  空気孔
９  ピン
１０  Ｏ−リング
【図１】
2009540232.tif 000002
【図２】
2009540232.tif 000003
【国際調査報告】
2009540232.tif 000004
2009540232.tif 000005
2009540232.tif 000006